(57)【要約】【課題】    構成が簡単かつ安価であって農作業機械で最も普及している農用トラクタに装着して食用に供される部分が地中に埋まっている野菜の収穫を支援することができる野菜収穫用支援装置を提供されること。【解決手段】  農用トラクタのロータリー耕耘装置２２の柱状部材２４に高さ調節可能に装着される被保持部１１と、当該被保持部１１に接合されその水平部１７が農用トラクタの移動に伴い地中の野菜Ｖの食用に供される部分（Ｖ１）より下方の土壌Ｄ部分を掘り起こし可能な掘起こし部１５とを設ける。【選択図】        図１
0003132699.tif 000002
【実用新案登録請求の範囲】
【請求項１】
食用に供される部分が地中に埋まっている野菜の収穫を支援するための装置であって、
農用トラクタの所定部分に高さ調節可能に装着される被保持部と、当該被保持部に接合されその水平部が前記トラクタの移動に伴い地中の前記野菜の食用に供される部分より下方の土壌部分を掘り起こし可能な掘起こし部とを有する農用トラクタを利用した野菜収穫用支援装置。
【考案の詳細な説明】
【技術分野】
【０００１】
本考案は、農業用のトラクタ（農用トラクタ）を利用した野菜収穫用支援装置に関する。
【背景技術】
【０００２】
一般に、食用に供される部分が地中に埋まっている野菜（例えば白ネギ）を収穫する場合、作業者は白ネギの食用に供される部分が傷つかないように、当該白ネギの周囲の土壌をスコップで掘り起こし、その後に葉の部分を手で持って引き抜いていた。しかし、一々スコップで土壌を掘り起こす作業は大変手間が掛かり、特に老齢の作業者にとっては重労働であった。そこで、最近では、かかる野菜の収穫を補助する機械が各種提案されている（例えば、特許文献１参照）。
【特許文献１】特開２０００−００４６２３号公報
【考案の開示】
【考案が解決しようとする課題】
【０００３】
しかし、特許文献１に示すような野菜収穫機は専用の装置であり、他の畑作業（種まき、肥料撒き等）には使用できないものであり、しかも高価なものであるため普及していないのが現状である。
【０００４】
本考案の目的は、上記事情に鑑み、構成が簡単かつ安価であって農作業機械で最も普及している農用トラクタに装着して食用に供される部分が地中に埋まっている野菜の収穫を支援することができる野菜収穫用支援装置を提供されることにある。
【課題を解決するための手段】
【０００５】
上記目的を達成するために、請求項１の考案は、食用に供される部分が地中に埋まっている野菜の収穫を支援するための装置であって、農用トラクタの所定部分に高さ調節可能に装着される被保持部と、当該被保持部に接合されその水平部が前記トラクタの移動に伴い地中の前記野菜の食用に供される部分より下方の土壌部分を掘り起こし可能な掘起こし部とを有するものである。
上記構成の請求項１の考案の場合、農作業機械として最も普及している農用トラクタに装着して野菜の収穫に役立てることができる。そして、野菜の食用に供される部分を傷つけることなく、当該野菜を収穫しやすくする（換言すれば、野菜を土壌中から引き抜きやすくする。）。ここで、一般に、農用トラクタは、作業者が乗って運転駆動操作可能なもの（乗車型）であって、後部にロータリ耕耘装置を昇降可能に装着したものである。
【考案の効果】
【０００６】
請求項１の考案によれば、農作業機械として最も普及している農用トラクタに装着して野菜の収穫に役立てることができるので、農家は野菜収穫のためだけにしか使えない高価な収穫専用機械を購入する必要がなくなる。
【０００７】
また、被保持部と掘り起こし部とからなる簡単な構造で、農用トラクタの移動力を利用して地表から所定深さの土壌部分を掘り起こすものであるので、可動部分がなく、この点からも構造を簡単にでき故障も殆ど無い。
【考案を実施するための最良の形態】
【０００８】
以下、本考案の実施形態を図面に基づき説明する。
【０００９】
本考案に係る農用トラクタを利用した野菜収穫用支援装置１０は、食用に供される部分が地中に埋まっている野菜（本実施形態では白ネギＶ）の収穫を支援するための装置であリ、農用トラクタの所定部分に装着可能に構成されている。
【００１０】
具体的には、本野菜収穫用支援装置１０は、図１に示すように、農用トラクタの所定部分（例えばロータリー耕耘装置２２）に高さ調節可能に装着される被保持部１１と、当該被保持部１１に接合され、かつ、その水平部分１７が農用トラクタの移動に伴い地中の野菜（白ネギＶ）の食用に供される部分（白ネギＶの白い部分である葉鞘部Ｖ１）より下方の土壌部分を掘り起こし可能な掘起こし部１５とを有する構成とされている。なお、図１および図２では、農用トラクタは、その後部のロータリー耕耘装置２２のみを２点鎖線で概略的に図示し、当該ロータリー耕耘装置２２のカバー２３の側面にある柱状部材２４を実線で示す。
【００１１】
詳しくは、本野菜収穫用支援装置１０の被保持部１１は、２枚の板状部材（１２，１３）と、４本のボルト１４Ｂと、当該各ボルト１４Ｂと螺合するナット１４Ｎとから形成されている。一方の板状部材１２は、長方形状で鋼鉄製とされており、その左右側端寄り部分には上下方向に伸延する長穴（１２ｈ，１２ｈ）が貫通穿設されている。          
【００１２】
そして、この板状部材１２には、掘起こし部１５の垂直部分１６が溶接で鉛直下方に伸延するように接合されている。
【００１３】
もう一方の板状部材１３は、長方形状で鋼鉄製とされており、その左右側端寄り部分には上下方向に離隔して各２つの穴（１３ｈ，１３ｈ）が貫通穿設されている。
【００１４】
これらの板状部材（１２，１３）は、図１および図２に示すように、農用トラクタのロータリー耕耘装置２２の柱状部材２４を間に挟み込むような位置にセットされ、その状態で４本のボルト１４Ｂを当該板状部材１２の穴１３ｈと当該板状部材１２の長穴１２ｈとに通し、当該各ボルト１４Ｂの端部にそれぞれナット１４Ｎを螺合させて締め付けることにより当該柱状部材２４に固定されている。すなわち、本野菜収穫用支援装置１０の被保持部１１は、万力となっており、板状部材１３に対する板状部材１２の上下方向位置を調節することによりロータリー耕耘装置２２に対する高さを調節可能となっている。
【００１５】
そして、掘起こし部１５の垂直部分１６の下方部位には、図１に示すように、水平部分１７が溶接で水平方向に伸延するように接合されている。なお、この掘起こし部１５の水平部分１７も鉄鋼製とされている。また、掘起こし部１５の水平部分１７は、土壌を掘り起こしてゆく際に前側になる端面部分を横断面楔状としてもよい。これにより、一段と土壌を掘り起こしやすくなる。すなわち、上記掘り起こし部１５は、全体Ｌ字形とされている。
【００１６】
上記構成の本野菜収穫用支援装置１０では、図２に示すように、白ネギＶを収穫する際（葉鞘部Ｖ１やひげ状の根Ｖ３部分が土壌に埋まっている白ネギＶを引き抜く際）には、掘り起こし部１５の水平部分１７は地表面から深さＨの土壌Ｄ中に入れられ、その状態で農用トラクタの移動に伴って当該土壌Ｄ中を図２中紙面と直角方向に進む（すなわち、深さＨの土壌Ｄ部分を掘り起こす。）。ここで、上記深さＨは、白ネギＶの土壌Ｄに埋まっている部分のうち食用に供される葉鞘部Ｖ１よりも深い長さが選定される。ここで、白ネギＶのひげ状根Ｖ３は、一般に食用に供さないので支援装置１０の掘り起こし部１５で切断されてもよく、かえって切断された方が白ネギＶを引き抜きやすくなる。
【００１７】
なお、上記野菜収穫中、農用トラクタのロータリー耕耘装置２２に耕耘作業を行わせても支障は出ない。
【００１８】
なお、この実施形態では、本野菜収穫用支援装置１０を白ネギの収穫に使用したが、これに限らず、食用に供される部分が地中に埋まっている他の野菜（例えば、短寸のニンジン、ジャガイモ、サツマイモ）の収穫にも使用できる。
【図面の簡単な説明】
【００１９】
【図１】本考案の野菜収穫用支援装置を説明するための斜視図である。
【図２】本野菜収穫用支援装置を使用してネギの収穫の支援する様子を示す図である。
【符号の説明】
【００２０】
１０  野菜収穫用支援装置
１１  被保持部
１２  板状部材
１３  板状部材
１４Ｂ  ボルト
１４Ｎ  ナット
１５  掘り起こし部
１６  垂直部分
１７  水平部分
２２  農用トラクタのロータリー耕耘装置
２３  カバー
２４  柱状部材
【図１】
0003132699.tif 000003
【図２】
0003132699.tif 000004